(57)【要約】【課題】操作感に優れ、確実なスイッチ動作が得られるセンタープッシュ付きスライドスイッチを提供する。【解決手段】本発明のセンタープッシュ付きスライドスイッチＳＷは、ベース１０と、ベース上に配置された共通接点２１及び複数の周辺接点２３〜２８と、ベース１０を覆うトップケース６０と、トップケース６０から突出し、ベース１０に向かって付勢されたノブ９０と、ノブ９０の操作により目的方向に移動可能なスライダー７０と、ベース上の下ガイド溝１２及びスライダー底面の上ガイド溝７３に嵌合するガイド８０と、スライダー７０とともに移動して周辺接点２３〜２８に接触する接点ブラシ５０と、共通接点２１に対向配置されたダイヤフラム３０と、ノブ９０の押下時にダイヤフラム３０の中心を押圧する突起４１によりダイヤフラム３０を共通接点２１に接触させるプレート４０とを備えて構成されている。【選択図】図１
2015002004.tif 000002
【特許請求の範囲】
【請求項１】
ベースと、
前記ベース上に配置された共通接点と、
前記ベース上の目的位置に配置された複数の周辺接点と、
前記ベースを覆うトップケースと、
前記トップケースから突出し、前記ベースに向かって付勢されたノブと、
前記ノブの操作により目的方向に移動可能なスライダーと、
前記ベース上に設けられた下ガイド溝、及びこれと直交するように前記スライダーの底面に設けられた上ガイド溝に嵌合するガイドと、
前記スライダーとともに移動し、移動方向の前記周辺接点に接触する接点ブラシと、
前記共通接点に対向配置されたダイヤフラムと、
前記ノブと前記ダイヤフラムの間に介在し、前記ノブの押下時に前記ダイヤフラムの中心を押圧する突起により前記ダイヤフラムを前記共通接点に接触させるプレートと、
を備えたことを特徴とするセンタープッシュ付きスライドスイッチ。
【請求項２】
前記ベースの中央位置にすり鉢状の凹部が設けられており、前記ノブに内蔵されたコイルばねが前記ノブ下端の凸部を前記凹部内に付勢することにより、前記ノブに固定された前記スライダーが前記ベースの中央位置に弾性復帰することを特徴とする請求項１に記載のセンタープッシュ付きスライドスイッチ。
【請求項３】
前記凹部内に傾斜角度の異なる段差が設けられており、前記スライダーが移動すると前記ノブ下端の凸部が前記段差を越える際にクリック感が付与されることを特徴とする請求項２に記載のセンタープッシュ付きスライドスイッチ。
【発明の詳細な説明】
【技術分野】
【０００１】
本発明は、目的方向へのスライド操作とセンタープッシュ操作が可能なセンタープッシュ付きスライドスイッチに関する。
【背景技術】
【０００２】
従来、この種のスイッチとしては、本出願人が先に出願したスライドスイッチが知られている（下記の特許文献１を参照）。特許文献１において、請求項４に記載された発明がセンタープッシュ付きのスライドスイッチである。このスイッチのセンタープッシュ機構は、復元ばねに付勢されたスライダーに押ボタン兼操作ノブを上下動可能に装着し、この押ボタン兼操作ノブの底面に復元ばね板を設置して、押下した押ボタン兼操作ノブをばねの弾力で元の位置に上昇復元するように構成されている。また、この機構は、押ボタン兼操作ノブとベース上の固定接点との間にダイヤフラム式の可動接点ばね円板を設置し、押ボタン兼操作ノブの押下により可動接点ばね円板の中心を凹ませて固定接点に接触させるように構成されている。
【先行技術文献】
【特許文献】
【０００３】
【特許文献１】特開２００３−０５９３７４号公報
【発明の概要】
【発明が解決しようとする課題】
【０００４】
前記のスライドスイッチによると、押ボタン兼操作ノブを押下したとき、移動するノブ底面の突起が可動接点ばね円板に直接触れて可動接点ばね円板を凹ませるようになっているため、触れる箇所によっては押ボタン兼操作ノブの操作感（押した感触）が良くないという問題があった。また、押ボタン兼操作ノブが復元ばねや復元ばね板の不具合によってずれた位置に復元されてしまうと、接点同士の接触不良が起こるため、正確なスイッチ動作が得られないという問題もあった。そこで、本発明はこれらの問題を解決するためになされたものであり、その目的とするところは、操作感が良好で、かつ、接点同士の接触不良が起こらず、確実なスイッチ動作が得られるセンタープッシュ付きスライドスイッチを提供することにある。
【課題を解決するための手段】
【０００５】
前記の目的を達成するため、本発明のセンタープッシュ付きスライドスイッチは、ベースと、前記ベース上に配置された共通接点と、前記ベース上の目的位置に配置された複数の周辺接点と、前記ベースを覆うトップケースと、前記トップケースから突出し、前記ベースに向かって付勢されたノブと、前記ノブの操作により目的方向に移動可能なスライダーと、前記ベース上に設けられた下ガイド溝、及びこれと直交するように前記スライダーの底面に設けられた上ガイド溝に嵌合するガイドと、前記スライダーとともに移動し、移動方向の前記周辺接点に接触する接点ブラシと、前記共通接点に対向配置されたダイヤフラムと、前記ノブと前記ダイヤフラムの間に介在し、前記ノブの押下時に前記ダイヤフラムの中心を押圧する突起により前記ダイヤフラムを前記共通接点に接触させるプレートと、を備えたことを特徴とするものである。
【０００６】
また、本発明のセンタープッシュ付きスライドスイッチにおいて、前記ベースの中央位置にすり鉢状の凹部が設けられており、前記ノブに内蔵されたコイルばねが前記ノブ下端の凸部を前記凹部内に付勢することにより、前記ノブに固定された前記スライダーが前記ベースの中央位置に弾性復帰するように構成されていると良い。
【０００７】
また、本発明のセンタープッシュ付きスライドスイッチにおいて、前記凹部内に傾斜角度の異なる段差が設けられており、前記スライダーが移動すると前記ノブ下端の凸部が前記段差を越える際にクリック感が付与されるように構成されていても良い。
【発明の効果】
【０００８】
本発明によれば、ノブの底面がプレートに面接触することにより、ノブがプレートの上を滑るようにして移動するので、良好な操作感を得ることができる。また、ノブの押下時にはプレート全体を均一な力で押し下げ、プレート裏面の突起がダイヤフラムの中心を正確に押圧するので、適度なクリック感が得られるとともに、接点同士の接触不良が起こらず、確実なスイッチ動作を確保することができる。
【０００９】
また、ベースの中央位置にすり鉢状の凹部を設け、ノブに内蔵されたコイルばねがノブ下端の凸部を凹部内に付勢する構造を採用すれば、コイルばねの復元力で凸部が凹部の傾斜面に沿って滑り落ちていき、このノブの動きに連動して、スライダーを正確な中央位置に復帰させることができる。特に、スライダーを中央位置に復帰させる構造と前記ダイヤフラムを押し込む構造とを別々に設けることにより、スライド動作の動作力とセンタープッシュの動作力とを個別に調整することが可能になるとともに、個別構造にすることにより、ノブの自由位置を傾斜面の最も低い凹み部に寄せることでノブのガタツキを最小限に抑えることができ、初動もスムーズになる。
【００１０】
さらに、凹部内に傾斜角度の異なる段差を設けることにより、凸部がこの段差を乗り越える際に傾斜面からの反発抵抗が変化するため、操作者に接点が切り換わったことを伝えるクリック感を付与することができる。
【図面の簡単な説明】
【００１１】
【図１】本発明のセンタープッシュ付きスライドスイッチを示す図で、（ａ）は平面図、（ｂ）はＡ−Ａ断面図である。
【図２】ベースと接点パターンを示す図で、（ａ）は平面図、（ｂ）はＢ−Ｂ断面図、（ｃ）はＣ−Ｃ断面図、（ｄ）は凹部の拡大図である。
【図３】接点パターンを示す図で、（ａ）はカット前の平面図、（ｂ）は右側面図である。
【図４】ダイヤフラムを示す図で、（ａ）は平面図、（ｂ）は右側面図である。
【図５】プレートを示す図で、（ａ）は平面図、（ｂ）は右側面図、（ｃ）は正面図、（ｄ）は底面図である。
【図６】接点ブラシを示す図で、（ａ）は平面図、（ｂ）は右側面図である。
【図７】ベース、接点パターン、ダイヤフラム、プレート及び接点ブラシを組み付けた状態を示す図で、（ａ）は平面図、（ｂ）はＤ−Ｄ断面図である。
【図８】トップケースを示す図で、（ａ）は平面図、（ｂ）は右側面図である。
【図９】スライダーを示す図で、（ａ）は平面図、（ｂ）は底面図、（ｃ）は縦断面図である。
【図１０】ガイドを示す図で、（ａ）は平面図、（ｂ）は右側面図、（ｃ）は正面図である。
【図１１】ノブを示す図で、（ａ）は上ノブの平面図、（ｂ）は上ノブの右側面図、（ｃ）は下ノブの平面図、（ｄ）は下ノブの右側面図、（ｅ）は上ノブ、コイルばね、下ノブの分解断面図である。
【図１２】トップケース、スライダー、接点ブラシ、ガイド及びノブを組み付けた状態を示す図で、（ａ）は平面図、（ｂ）は底面図である。
【図１３】本発明のセンタープッシュ付きスライドスイッチの動作説明図で、（ａ）は無負荷時の状態を示す断面図、（ｂ）はスライド時の状態を示す断面図、（ｃ）はセンタープッシュ時の状態を示す断面図である。
【図１４】本発明のセンタープッシュ付きスライドスイッチの回路を示す説明図で、（ａ）は出力パターン図、（ｂ）は回路構成図である。
【発明を実施するための形態】
【００１２】
以下、本発明を実施するための形態について、図面を参照しながら説明する。
【００１３】
図１に示すように、本発明のセンタープッシュ付きスライドスイッチＳＷは、例えばデジタル一眼レフカメラに搭載されたオートフォーカスモードの方向キー兼決定ボタン等として好適なスイッチであって、目的方向へのスライド操作によって接点切替命令（１Ｃ，１ＡＣ，２Ｃ，２ＡＣ，…）を出力する機能と、センタープッシュ操作によって実行命令（Ｅｎｔｅｒ）を出力する機能を備えた多機能スイッチである。このスイッチＳＷは、以下に説明するベース１０、接点パターン２０、ダイヤフラム３０、プレート４０、接点ブラシ５０、トップケース６０、スライダー７０、ガイド８０、及びノブ９０を備えて構成されている。以下、各部品の構造を説明する。
【００１４】
（ベース１０）
図２に示すように、ベース１０は、絶縁性を有する樹脂材料（本実施形態ではポリアミド樹脂）からなり、表面の一点を中心点Ｐ１とし、その中心点Ｐ１から設定半径の仮想円Ｃの円周上に円形のパターンスペース１１を複数個形成し、各パターンスペース１１に固定接点を露出形成したものである。また、ベース１０上には、中心点Ｐ１を対称点としてＸ軸方向に２本の平行な下ガイド溝１２，１２が形成され、その内側にプレートを収容する収容部１３が設けられている。さらに、ベース１０の中央位置には、ノブ９０をセンターに復帰させるためのすり鉢状の凹部１４が設けられている。なお、凹部１４内には傾斜角度の異なる段差１５が設けられており、図２（ｄ）に示すように、本実施形態では段差１５より低い位置の傾斜角度αが、段差１５より高い位置の傾斜角度βに比べて僅かに鋭角に設定されている。
【００１５】
（接点パターン２０）
図３に示すように、固定接点は、導電性を有する金属板（本実施形態ではりん青銅板）を打ち抜き加工した接点パターン２０をベース１０にインサート成形したもので、インサート成形後、図３に示す点線部分をカット加工して金属板から切り離される。これにより、本実施形態ではベース１０上の中心からやや左寄りの位置に内外二重の円環形の共通接点２１，２２が配置され、周縁部に円環形の周辺接点２３，２４と半円形の周辺接点２５，２６，２７，２８が配置され、それぞれの端子（Ｐ，Ｃ，Ａ，１，２，３，４）がベース１０の外部に突出している。なお、周辺接点２３〜２８の中央にはそれぞれ絶縁部１６が設けられており、周辺接点２３の絶縁部１６は周辺接点２４の絶縁部１６よりも一回り広い面積に設定されている（図２（ａ）参照）。
【００１６】
（ダイヤフラム３０）
接点パターン２０を固定したベース１０上には、図４に示すダイヤフラム３０が設置される。ダイヤフラム３０は、接点パターン２０と同様な導電性を有する金属板により構成され、弾性変形する中央の可動接点部３１と、可動接点部３１を支える周縁の固定接点部３２とからなる円形ドーム状に成形されている。このダイヤフラム３０を共通接点２１，２２の上に設置することにより、図７に示すように固定接点部３２が外側共通接点２２に接触して端子（Ｐ）に接続されるとともに、可動接点部３１が内側共通接点２１に対向配置され、可動時に内側共通接点２１に接触して端子（Ｃ）に接続される。
【００１７】
（プレート４０）
ダイヤフラム３０の上には、図５に示すプレート４０が設置される。プレート４０は、適度な弾力と機械的強度に優れた鋼板（本実施形態ではステンレス鋼板）からなり、裏面に突起４１を有する先細り形状の押圧部４２と、中央に円形孔を有する円環部４３と、方形状の支持部４４を備えて構成されている。そして、図７に示すように円環部４３を凹部１４の外壁に嵌着し、支持部４４を収容部１３に収容することによって、プレート４０がベース１０上に位置決め固定され、押圧部裏面の突起４１がダイヤフラム３０の中心の可動接点部３１に当接する。
【００１８】
（接点ブラシ５０）
プレート４０の上には、図６に示す接点ブラシ５０が設置される。接点ブラシ５０は、導電性を有する金属板（本実施形態ではりん青銅板）からなり、金属板の周縁に、可動接点として機能する４本の接点付き板ばね片５１，５２，５３，５４が形成されており、その先端はそれぞれ半球状の接点部５１ａ，５２ａ，５３ａ，５４ａになっている。また、金属板の中心には円形孔が設けられており、その周囲に取付孔５５，５５，…が形成されている。そして、この接点ブラシ５０を後述するスライダー７０の裏面に固定することにより、図７に示すように接点付き板ばね片５１〜５４の接点部５１ａ〜５４ａがベース上の絶縁部１６に接触した状態で設置される。
【００１９】
以上が本実施形態のセンタープッシュ付きスライドスイッチＳＷにおける接点の構造であるが、次にこのスイッチにおける操作部の構造を説明する。
【００２０】
（トップケース６０）
図８はベース１０の上に被せるトップケース６０を示したものである。トップケース６０は、適度な弾力と機械的強度に優れた鋼板（本実施形態ではステンレス鋼板）からなり、中央に略円形の貫通孔６１が形成された蓋状の天板部６２と、天板部６２の前後左右の側面に形成された取付孔６３を有する取付片６４とを備えて構成されている。
【００２１】
（スライダー７０）
トップケース６０の裏面には、図９に示すスライダー７０が設置される。スライダー７０は、絶縁性を有する樹脂材料（本実施形態ではポリアミド樹脂）からなり、円形、多角形等（本実施形態では八角形）の板状のスライダー本体７１を備え、その中央にノブ９０を装着するための鍵孔状の係止孔７２が設けられている。また、スライダー本体７１の底面には、中心点Ｐ２を対称点としてＹ軸方向（下ガイド溝１２と直交する方向）に２本の平行な上ガイド溝７３，７３が形成されている。さらに、スライダー本体７１の裏面には、ピン７４，７４，…が設けられており、このピン７４を前記接点ブラシ５０の取付孔５５に嵌合させることにより、図１２に示すようにスライダー７０の裏面に接点ブラシ５０が固定される。
【００２２】
（ガイド８０）
スライダー７０の底面には、図１０に示すガイド８０が嵌め込まれる。ガイド８０は、スライダー７０と同じく絶縁性を有する樹脂材料（本実施形態ではポリアミド樹脂）からなり、ベース１０の下ガイド溝１２，１２に摺動自在に嵌合する２本の平行な下バー８１，８１と、スライダー７０の上ガイド溝７３，７３に摺動自在に嵌合する２本の平行な上バー８２，８２とを組み合わせて、図示したような方形または井形に一体成形したものである。このガイド８０をスライダー底面の上ガイド溝７３，７３に嵌め込むことにより、図１２に示すように、スライダー７０はガイド８０の下バー８１に沿ったＸ軸方向、ガイド８０の上バー８２に沿ったＹ軸方向、及び両方向を合成した斜め方向のそれぞれの目的方向にスライド可能に支持される。
【００２３】
（ノブ９０）
スライダー７０の中央には、図１１に示すノブ９０が装着される。ノブ９０は、スライダー７０と同じく絶縁性を有する樹脂材料（本実施形態ではポリアミド樹脂）からなり、上ノブ９１と下ノブ９２の上下２分割体により構成されている。上ノブ９１は円柱状の操作部９３を備え、空洞部９４が内部に形成され、鍵形の係止部９５が背面に形成され、係止孔９６が側面上部に形成されている。一方、下ノブ９２には、空洞部９７が内部に形成され、半球状の凸部９８が下端に形成され、係止爪９９が側面上部に形成されている。そして、図１１（ｅ）に示すように、空洞部９４と空洞部９７に金属製のコイルばね１００を収容し、係止爪９９を係止孔９６に嵌合することにより、上ノブ９１と下ノブ９２がコイルばね１００を内蔵した状態で一体化される。また、係止部９５をスライダー７０の係止孔７２に嵌合することにより、図１２に示すようにノブ９０とスライダー７０が一体化され、ノブ９０の操作部９３がトップケース６０の貫通孔６１から外部に突出した状態で装着される。
【００２４】
そして、接点ブラシ５０、スライダー７０、ガイド８０及びノブ９０を組み付けた状態でトップケース６０を図７のベース１０の上に被せ、取付孔６３にベース１０の爪１７を係止する。これにより、図１に示すようにベース１０とトップケース６０が一体化され、内部に接点と操作部を備えたセンタープッシュ付きスライドスイッチＳＷが完成する。
【００２５】
以上が本実施形態のセンタープッシュ付きスライドスイッチＳＷの構造であるが、以下このスイッチの動作について、図１、図１３及び図１４を参照しながら説明する。
【００２６】
まず、スライドスイッチ機構を説明する。図１３（ａ）に示す無負荷時の状態では、図１に示すようにノブ９０がコイルばね１００の弾力でベース１０に向かって付勢され、凸部９９が凹部１４の凹みに嵌まって中央位置に支持されているため、ベース１０の中心点Ｐ１とスライダー７０の中心点Ｐ２とが一致している。このとき、ダイヤフラム３０の固定接点部３２はベース上の外側共通接点２２に接触して端子（Ｐ）に接続されているが、その他の接点（可動接点部３１と内側共通接点２１、接点部５１ａと周辺接点２３、接点部５２ａと周辺接点２４、接点部５３ａと周辺接点２５，２６、接点部５４ａと周辺接点２７，２８）はいずれも接触しておらず、スイッチの状態は図１４に示すＯＦＦ領域である。
【００２７】
ここで、ノブ９０をＸ軸（＋）方向（図１３（ｂ）に示す右方向）にスライド操作すると、コイルばね１００を圧縮しながら凸部９９が凹部１４の傾斜面を上っていき、このノブ９０の動きに連動して、スライダー７０がガイド８０の下バー８１に沿って移動する。このとき、スライダー７０に装着された接点ブラシ５０も移動するため、絶縁部１６に接触していた接点付き板ばね片５２，５３，５４の接点部５２ａ，５３ａ，５４ａは、それぞれ周辺接点２４，２５，２７に接触する。なお、接点付き板ばね片５１の接点部５１ａは、周辺接点２３の絶縁部１６に接触したままである。したがって、端子（Ｃ）、端子（２）及び端子（４）が導通するため、図１４に示す「２４Ｃ」のパターン信号が出力される。また、本実施形態では、ノブ９０が移動すると凹部１４の凹みに嵌まっていた凸部９９が抜け出る際に、抵抗による適度なクリック感が得られるようになっている。
【００２８】
続いて、ノブ９０をＸ軸（＋）方向に更にスライド操作すると、それまで絶縁部１６に接触していた接点付き板ばね片５１の接点部５１ａが周辺接点２３に接触する。したがって、端子（Ｃ）、端子（２）及び端子（４）に加えて端子（Ａ）も導通するため、図１４に示す「２４ＡＣ」のパターン信号が出力される。なお、凹部１４内には傾斜角度の異なる段差１５が設けられているため、凸部９９がこの段差１５を乗り越える際に傾斜面からの反発抵抗が変化し、操作者に接点が「２４Ｃ」から「２４ＡＣ」に切り換わったことを伝えるクリック感を与えることができる。
【００２９】
そして、ノブ９０を操作していた力を解除すると、圧縮されていたコイルばね１００が復元することにより凸部９９が凹部１４の傾斜面に沿って滑り落ちていき、このノブ９０の動きに連動して、スライダー７０が押し戻されて元の中立位置に弾性復帰する。これにより、接点付き板ばね片５１，５２，５３，５４の接点部５１ａ，５２ａ，５３ａ，５４ａは、それぞれ周辺接点２３，２４，２５，２７との接続が絶たれ、すべて絶縁部１６に接触するため、スイッチの状態は図１４に示すＯＦＦ領域に戻る。
【００３０】
これに対し、ノブ９０をＸ軸（−）方向にスライド操作すると、前記と同様の作用により、接点付き板ばね片５２，５３，５４の接点部５２ａ，５３ａ，５４ａがそれぞれ周辺接点２４，２６，２８に接触する。これにより、端子（Ｃ）、端子（１）及び端子（３）が導通するため、図１４に示す「１３Ｃ」のパターン信号が出力される。また、ノブ９０をＸ軸（−）方向に更にスライド操作すると、接点付き板ばね片５１の接点部５１ａが周辺接点２３に接触し、端子（Ａ）も導通するため、図１４に示す「１３ＡＣ」のパターン信号が出力される。さらに、ノブ９０は中心点からＸ軸方向だけでなくＹ軸（＋）（−）方向や任意角度の斜め方向にスライドさせることも可能であり、中心点から３６０°任意の方向に自由自在に操作することができる。したがって、図１４に示すように、目的方向に応じて複数種類（本実施形態では８方向×２列＝１６種類）のパターン信号を出力することができる。
【００３１】
次に、センタープッシュスイッチ機構を説明する。図１３（ａ）に示す無負荷時の状態では、プレート４０がダイヤフラム３０に支えられており、ノブ９０が中立位置に支持されている。このとき、ダイヤフラム３０の固定接点部３２はベース上の外側共通接点２２に接触して端子（Ｐ）に接続されているが、可動接点部３１は内側共通接点２１から離れており、接点（Ｃ）には接続されていない。したがって、図１４（ｂ）のように端子（Ｐ）と端子（Ｃ）が導通していないため、実行命令（Ｅｎｔｅｒ）信号は出力されない。
【００３２】
ここで、図１３（ｃ）に示すようにノブ９０を押下（センタープッシュ）すると、上ノブ９１の底面がプレート４０の押圧部４２を押し下げ、裏面の突起４１がダイヤフラム３０を押圧する。これにより、ダイヤフラム３０が凹み変形し、中心の可動接点部３１がベース上の内側共通接点２１に接触して端子（Ｃ）が接続される。したがって、端子（Ｐ）と端子（Ｃ）が導通するため、実行命令（Ｅｎｔｅｒ）信号が出力される。そして、ノブ９０を押下していた力を解除すると、ダイヤフラム３０の復元によってプレート４０が押し戻され、ノブ９０が上昇して元の位置に復帰する。これにより、可動接点部３１が内側共通接点２１から離れ、端子（Ｐ）と端子（Ｃ）の接続が遮断される。
【００３３】
なお、本実施形態では、ノブ９０の底面が平板状のプレート４０に面接触しており、ノブ９０がプレート４０の上を滑るようにして移動するので、良好な操作感が得られる。また、ノブ９０を押下したときには上ノブ９１の底面の平らな面がプレート４０全体を均一な力で垂直に押し下げるようになっており、プレート裏面の突起４１がダイヤフラム３０の中心を正確に押圧するので、適度なクリック感が得られるとともに、接点同士の接触不良が起こらず、確実なスイッチ動作が保証される。
【００３４】
また、特にスライダー７０を中央位置に復帰させる構造とダイヤフラム３０を押し込む構造とを別々に設けたことにより、コイルばね１００を内蔵したノブ９０とスライダー７０によるスライド動作の動作力と、ダイヤフラム３０とプレート４０によるセンタープッシュの動作力とを個別に調整することが可能になるという利点がある。また、個別構造にしたことにより、ノブ９０の自由位置を凹部１４内の傾斜面の最も低い凹み部に寄せることでノブ９０のガタツキを最小限に抑えることができ、初動もスムーズになるという利点もある。
【００３５】
以上説明した実施形態では、スライドスイッチ機構として１６種類のパターン信号を出力するようにしたが、接点の構造はこれに限られない。例えば、ベース１０の固定接点の形状や面積、接点付き板ばね片５１，５２，…の形状や本数などを適宜設計変更することにより、出力パターン数を増減したり、その形態を自由に変更することが可能になり、多様な用途に利用できる汎用性に優れたスイッチを提供することができる。
【符号の説明】
【００３６】
ＳＷ：センタープッシュ付きスライドスイッチ
１０：ベース
１１：パターンスペース
１２：下ガイド溝
１３：収容部
１４：凹部
１５：段差
１６：絶縁部
１７：爪
２０：接点パターン
２１：内側共通接点（Ｃ）
２２：外側共通接点（Ｐ）
２３：周辺接点（Ａ）
２４：周辺接点（Ｃ）
２５：周辺接点（１）
２６：周辺接点（２）
２７：周辺接点（３）
２８：周辺接点（４）
３０：ダイヤフラム
３１：可動接点部
３２：固定接点部
４０：プレート
４１：突起
４２：押圧部
４３：円環部
４４：支持部
５０：接点ブラシ
５１：接点付き板ばね片
５２：接点付き板ばね片
５３：接点付き板ばね片
５４：接点付き板ばね片
５５：取付孔
６０：トップケース
６１：貫通孔
６２：天板部
６３：取付孔
６４：取付片
７０：スライダー
７１：スライダー本体
７２：係止孔
７３：上ガイド溝
７４：ピン
８０：ガイド
８１：下バー
８２：上バー
９０：ノブ
９１：上ノブ
９２：下ノブ
９３：操作部
９４：空洞部
９５：係止部
９６：係止孔
９７：空洞部
９８：凸部
９９：係止爪
１００：コイルばね
【図１】
2015002004.tif 000003
【図２】
2015002004.tif 000004
【図３】
2015002004.tif 000005
【図４】
2015002004.tif 000006
【図５】
2015002004.tif 000007
【図６】
2015002004.tif 000008
【図７】
2015002004.tif 000009
【図８】
2015002004.tif 000010
【図９】
2015002004.tif 000011
【図１０】
2015002004.tif 000012
【図１１】
2015002004.tif 000013
【図１２】
2015002004.tif 000014
【図１３】
2015002004.tif 000015
【図１４】
2015002004.tif 000016